(57)【特許請求の範囲】
【請求項１】
所定の文字順に配列された複数の見出語にそれぞれその説明情報を対応付けて記憶する辞書記憶手段と、
検索対象の文字列をユーザ操作に応じて入力する検索文字入力手段と、
前記辞書記憶手段により記憶された見出語の中から前記検索文字入力手段により入力された文字列と先頭一致する見出語を検索する見出語検索手段と、
この見出語検索手段により検索された見出語を指定表示して、前記辞書記憶手段に記憶されている当該見出語以降の各見出語を一覧表示する見出語一覧表示手段と、
ユーザ操作に応じて各見出語の一覧表示を順次スクロール表示させて、見出語の指定表示を次の見出語に移動させる見出語スクロール表示制御手段と、
この見出語スクロール表示制御手段によりスクロール表示されている見出語一覧表示において、当該順次指定表示される各見出語を順次識別する見出語識別手段と、
この見出語識別手段による識別結果に応じて前記見出語スクロール表示制御手段によるスクロール表示のスクロール速度を制御するスクロール速度制御手段と、
を備え、
前記見出語識別手段は、前記見出語スクロール表示制御手段によりスクロール表示されている見出語一覧において、当該指定表示中の各見出語が、前記辞書記憶手段により記憶された複数の見出語の中で重要マークが付された見出語であるか否かを識別し、
前記スクロール速度制御手段は、前記見出語識別手段により前記指定表示中の見出語について前記重要マークが付された見出語であると識別された際に、当該見出語の指定表示に合わせてスクロール表示を一旦停止またはスクロール速度を低下させる、
ことを特徴とする辞書情報表示制御装置。
【請求項２】
所定の文字順に配列された複数の見出語にそれぞれその説明情報を対応付けて記憶する辞書記憶手段と、
検索対象の文字列をユーザ操作に応じて入力する検索文字入力手段と、
前記辞書記憶手段により記憶された見出語の中から前記検索文字入力手段により入力された文字列と先頭一致する見出語を検索する見出語検索手段と、
この見出語検索手段により検索された見出語を指定表示して、前記辞書記憶手段に記憶されている当該見出語以降の各見出語を一覧表示する見出語一覧表示手段と、
ユーザ操作に応じて各見出語の一覧表示を順次スクロール表示させて、見出語の指定表示を次の見出語に移動させる見出語スクロール表示制御手段と、
この見出語スクロール表示制御手段によりスクロール表示されている見出語一覧表示において、当該順次指定表示される各見出語を順次識別する見出語識別手段と、
この見出語識別手段による識別結果に応じて前記見出語スクロール表示制御手段によるスクロール表示のスクロール速度を制御するスクロール速度制御手段と、
を備え、
前記見出語識別手段は、前記見出語スクロール表示制御手段によりスクロール表示されている見出語一覧において、当該指定表示中の各見出語が、前記辞書記憶手段により記憶された複数の見出語の中でユーザ登録された見出語であるか否かを識別し、
前記スクロール速度制御手段は、前記見出語識別手段により前記指定表示中の見出語について前記ユーザ登録された見出語であると識別された際に、当該見出語の指定表示に合わせてスクロール表示を一旦停止またはスクロール速度を低下させる、
ことを特徴とする辞書情報表示制御装置。
【請求項３】
所定の文字順に配列された複数の見出語にそれぞれその説明情報を対応付けて記憶する辞書記憶手段を備えた情報表示装置のコンピュータを制御するための辞書情報表示制御プログラムであって、
前記コンピュータを、
検索対象の文字列をユーザ操作に応じて入力する検索文字入力手段、
前記辞書記憶手段により記憶された見出語の中から前記検索文字入力手段により入力された文字列と先頭一致する見出語を検索する見出語検索手段、
この見出語検索手段により検索された見出語を指定表示して、前記辞書記憶手段により記憶されている当該見出語以降の各見出語を一覧表示する見出語一覧表示手段、
ユーザ操作に応じて各見出語の一覧表示を順次スクロール表示させて、見出語の指定表示を次の見出語に移動させる見出語スクロール表示制御手段、
この見出語スクロール表示制御手段によりスクロール表示されている見出語一覧表示において、当該順次指定表示される各見出語を順次識別する見出語識別手段、
この見出語識別手段による識別結果に応じて前記見出語スクロール表示制御手段によるスクロール表示のスクロール速度を制御するスクロール速度制御手段、
として機能させ、
前記見出語識別手段は、前記見出語スクロール表示制御手段によりスクロール表示されている見出語一覧において、当該指定表示中の各見出語が、前記辞書記憶手段により記憶された複数の見出語の中で重要マークが付された見出語であるか否かを識別し、
前記スクロール速度制御手段は、前記見出語識別手段により前記指定表示中の見出語について前記重要マークが付された見出語であると識別された際に、当該見出語の指定表示に合わせてスクロール表示を一旦停止またはスクロール速度を低下させる、
ようにしたことを特徴とするコンピュータ読み込み可能な辞書情報表示制御プログラム。
【請求項４】
所定の文字順に配列された複数の見出語にそれぞれその説明情報を対応付けて記憶する辞書記憶手段を備えた情報表示装置のコンピュータを制御するための辞書情報表示制御プログラムであって、
前記コンピュータを、
検索対象の文字列をユーザ操作に応じて入力する検索文字入力手段、
前記辞書記憶手段により記憶された見出語の中から前記検索文字入力手段により入力された文字列と先頭一致する見出語を検索する見出語検索手段、
この見出語検索手段により検索された見出語を指定表示して、前記辞書記憶手段により記憶されている当該見出語以降の各見出語を一覧表示する見出語一覧表示手段、
ユーザ操作に応じて各見出語の一覧表示を順次スクロール表示させて、見出語の指定表示を次の見出語に移動させる見出語スクロール表示制御手段、
この見出語スクロール表示制御手段によりスクロール表示されている見出語一覧表示において、当該順次指定表示される各見出語を順次識別する見出語識別手段、
この見出語識別手段による識別結果に応じて前記見出語スクロール表示制御手段によるスクロール表示のスクロール速度を制御するスクロール速度制御手段、
として機能させ、
前記見出語識別手段は、前記見出語スクロール表示制御手段によりスクロール表示されている見出語一覧において、当該指定表示中の各見出語が、前記辞書記憶手段により記憶された複数の見出語の中でユーザ登録された見出語であるか否かを識別し、
前記スクロール速度制御手段は、前記見出語識別手段により前記指定表示中の見出語について前記ユーザ登録された見出語であると識別された際に、当該見出語の指定表示に合わせてスクロール表示を一旦停止またはスクロール速度を低下させる、
ようにしたことを特徴とするコンピュータ読み込み可能な辞書情報表示制御プログラム。
【発明の詳細な説明】
【技術分野】
【０００１】
本発明は、電子データ化した種々の辞書データベースを記憶し、入力文字列に対応して検索された見出語一覧の中から所望の見出語を選択してその言語訳や意味内容などの説明情報を表示させるための辞書情報表示制御装置および辞書情報表示制御プログラムに関する。
【背景技術】
【０００２】
従来、国語辞典，英和辞典，和英事典などの各種の辞典や辞書を電子データ化してＲＯＭなどの記憶媒体に格納し、これに基づき入力された検索対象の文字列に一致あるいは先頭に含む見出語（単語）を検索して一覧表示させ、この見出語一覧表示の中から所望の見出語を選択することで、当該選択された見出語の訳語や意味内容などの説明情報を読み出して表示させるようにした電子辞書装置が広く実用されている（例えば、特許文献１参照。）。
【０００３】
このような電子辞書装置では、例えば検索したい単語の全スペルが分からない場合や全スペルの完全入力が面倒な場合でも、紙での辞書と同様な感覚で容易に所望の単語を検索して表示できるように、アルファベット順あるいは五十音順で入力文字列と一致する文字列を有する見出語を先頭にした見出語一覧が検索表示され、この見出語一覧の中から検索すべき所望の単語（見出語）をカーソル操作で選択してその説明情報を表示させることができるものである。
【０００４】
この場合、入力文字列に応じて検索表示された見出語一覧画面では、アルファベット順あるいは五十音順で配列表示された各見出語を、カーソルを移動させさらにスクロール表示させながら確認し、検索すべき所望の単語（見出語）を見つけ出している。
【特許文献１】特開２００５−０１８４０６
【発明の開示】
【発明が解決しようとする課題】
【０００５】
前記従来の電子辞書装置による見出語一覧の表示機能では、入力文字列と一致するあるいは先頭に含む最も近い見出語（単語）を先頭にしたアルファベット順あるいは五十音順の見出語一覧画面から、カーソル操作で指定の見出語位置を移動させ、検索すべき所望の単語（見出語）を見つけることができる。
【０００６】
このため、ユーザはその全スペル（綴り）を入力しなくても所望の単語（見出語）を見つけることが可能であるものの、カーソルキーの連続押下（キーリピート）によって表示カーソルを移動させると、その表示カーソルは一覧表示された各見出語位置を連続して高速で移動して行く。
【０００７】
この場合、所望の単語（見出語）まで素早く辿り着くことが可能であるという利点があるものの、当該所望の単語（見出語）を見飛ばして通過してしまうことがあり、返って扱い難いと感じてしまうこともある。
【０００８】
本発明は、このような課題に鑑みなされたもので、入力文字列に対応した見出語一覧表示状態において、カーソルキーの連続押下（キーリピート）によって表示カーソルを連続移動させた場合でも、所望の見出語（単語）を容易且つ確実に見つけ出すことが可能になる辞書情報表示制御装置および辞書情報表示制御プログラムを提供することを目的とする。
【課題を解決するための手段】
【０００９】
請求項１に記載の辞書情報表示制御装置は、所定の文字順序に配列された複数の見出語にそれぞれその説明情報を対応付けて記憶する辞書記憶手段と、検索対象の文字列をユーザ操作に応じて入力する検索文字入力手段と、前記辞書記憶手段により記憶された見出語の中から前記検索文字入力手段により入力された文字列と先頭一致する見出語を検索する見出語検索手段と、この見出語検索手段により検索された見出語を指定表示して、前記辞書記憶手段に記憶されている当該見出語以降の各見出語を一覧表示する見出語一覧表示手段と、ユーザ操作に応じて各見出語の一覧表示を順次スクロール表示させて、見出語の指定表示を次の見出語に移動させる見出語スクロール表示制御手段と、この見出語スクロール表示制御手段によりスクロール表示されている見出語一覧表示において、当該順次表示される各見出語を順次識別する見出語識別手段と、この見出語識別手段による識別結果に応じて前記見出語スクロール表示制御手段によるスクロール表示のスクロール速度を制御するスクロール速度制御手段とを備え、
前記見出語識別手段は、前記見出語スクロール表示制御手段によりスクロール表示されている見出語一覧において、当該指定表示中の各見出語が、前記辞書記憶手段により記憶された複数の見出語の中で重要マークが付された見出語であるか否かを識別し、前記スクロール速度制御手段は、前記見出語識別手段により前記指定表示中の見出語について前記重要マークが付された見出語であると識別された際に、当該見出語の指定表示に合わせてスクロール表示を一旦停止またはスクロール速度を低下させることを特徴としている。
【００１０】
請求項２に記載の辞書情報表示制御装置は、所定の文字順に配列された複数の見出語にそれぞれその説明情報を対応付けて記憶する辞書記憶手段と、検索対象の文字列をユーザ操作に応じて入力する検索文字入力手段と、前記辞書記憶手段により記憶された見出語の中から前記検索文字入力手段により入力された文字列と先頭一致する見出語を検索する見出語検索手段と、この見出語検索手段により検索された見出語を指定表示して、前記辞書記憶手段に記憶されている当該見出語以降の各見出語を一覧表示する見出語一覧表示手段と、ユーザ操作に応じて各見出語の一覧表示を順次スクロール表示させて、見出語の指定表示を次の見出語に移動させる見出語スクロール表示制御手段と、この見出語スクロール表示制御手段によりスクロール表示されている見出語一覧表示において、当該順次指定表示される各見出語を順次識別する見出語識別手段と、この見出語識別手段による識別結果に応じて前記見出語スクロール表示制御手段によるスクロール表示のスクロール速度を制御するスクロール速度制御手段とを備え、
前記見出語識別手段は、前記見出語スクロール表示制御手段によりスクロール表示されている見出語一覧において、当該指定表示中の各見出語が、前記辞書記憶手段により記憶された複数の見出語の中でユーザ登録された見出語であるか否かを識別し、前記スクロール速度制御手段は、前記見出語識別手段により前記指定表示中の見出語について前記ユーザ登録された見出語であると識別された際に、当該見出語の指定表示に合わせてスクロール表示を一旦停止またはスクロール速度を低下させることを特徴としている。
【発明の効果】
【００２０】
本発明の請求項１に記載の辞書情報表示制御装置によれば、入力された文字列と先頭一致する見出語を検索して一覧表示し、ユーザ操作に応じて各見出語の一覧表示が順次スクロール表示し、各見出語の文字列が前記辞書記憶手段により記憶された複数の見出語の中で重要マークが付された見出語であるか否かを識別し、重要マークが付された見出語であると識別された際に、当該見出語の指定表示に合わせてスクロール表示を一旦停止またはスクロール速度を低下させるようにしたので、検索したい重要単語の先頭の一部の綴り（スペル）を入力するだけで、その入力文字列と先頭一致する各重要単語の見出語を明確に確認でき、所望の重要単語である見出語を見逃すことなく容易且つ確実に見つけ出すことができるようになる。
【００２１】
本発明の請求項２に記載の辞書情報表示制御装置によれば、入力された文字列と先頭一致する見出語を検索して一覧表示し、ユーザ操作に応じて各見出語の一覧表示を順次スクロール表示し、各見出語が前記辞書記憶手段により記憶された複数の見出語の中でユーザ登録された見出語であるか否かを識別し、前記ユーザ登録された見出語であると識別された際に、当該見出語の指定表示に合わせてスクロール表示を一旦停止またはスクロール速度を低下させるようにしたので、検索したいユーザ登録単語の先頭の一部の綴り（スペル）を入力するだけで、その入力文字列と先頭一致する各ユーザ登録単語の見出語を明確に確認でき、所望のユーザ登録単語である見出語を見逃すことなく容易且つ確実に見つけ出すことができるようになる。
【００２５】
よって、本発明によれば、入力文字列に対応した見出語一覧表示状態において、カーソルキーの連続押下（キーリピート）によって表示カーソルを連続移動させた場合でも、所望の見出語（単語）を容易且つ確実に見つけ出すことが可能になる辞書情報表示制御装置および辞書情報表示制御プログラムを提供できる。
【発明を実施するための最良の形態】
【００２６】
以下図面により本発明の実施の形態について説明する。
【００２７】
図１は、本発明の辞書情報表示制御装置の実施形態に係る携帯機器（電子辞書）１０の電子回路の構成を示すブロック図である。
【００２８】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２９】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００３０】
前記ＣＰＵ１１には、前記メモリ１２、記憶媒体読取部１４、通信部１５、入力部１６が接続される他に、ＬＣＤからなる表示部１７などが接続される。
【００３１】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、辞書データ（１２ｂ）に基づき検索対象の入力文字列に応じた見出語（単語）の一覧を検索表示したり、この見出語一覧からカーソルによって選択指示された見出語（単語）に対応した訳語や意味内容などの各種説明情報を検索表示したりするための辞書検索制御プログラム１２ａが記憶される。
【００３２】
また、このメモリ１２には、辞書データメモリ１２ｂ、入力文字データメモリ１２ｃ、検索見出語先頭位置メモリ１２ｄ、検索見出語カーソル位置メモリ１２ｅ、カーソル位置見出語メモリ１２ｆ、カーソル次位置見出語メモリ１２ｇ、ヒストリ登録メモリ１２ｈ、単語帳登録メモリ１２ｉ、およびワークエリア１２ｊなどが用意される。
【００３３】
辞書データメモリ１２ｂには、「国語辞典」「漢和辞典」「英和辞典」「和英辞典」など、種類の異なる辞書データが各種類別に予め、あるいはダウンロードされて複数辞書記憶されるもので、例えば「国語辞典」としては「広○苑」「マイ百科事典」「カタカナ辞典」が記憶され、「漢和辞典」としては「漢○林」「漢字源」が記憶され、「英和辞典」としては「シーニアス英和辞典」「リータース英和辞典」が記憶され、「和英辞典」としては「シニアー和英辞典」「シーニアス和英辞典」が記憶される。
【００３４】
入力文字データメモリ１２ｃには、検索文字入力画面Ｇ１（図４参照）において、入力部１６の文字入力キーの操作に応じて入力された検索対象となる文字列のデータが記憶される。
【００３５】
検索見出語先頭位置メモリ１２ｄには、前記入力文字データメモリ１２ｃに入力記憶された検索対象の文字列に応じて当該入力文字列と一致あるいは先頭に含む最も近似した見出語（単語）が前記辞書データ１２ｂから検索された際に、当該見出語（単語）の辞書データ１２ｂ中のアドレスが見出語一覧表示のための先頭位置として記憶される。
【００３６】
検索見出語カーソル位置メモリ１２ｅには、前記入力文字列（１２ｃ）に応じて検索一覧表示された見出語一覧画面Ｇ２（図４参照）上で各見出語を指定表示する反転カーソルＫ（図４参照）の見出語指定位置が記憶される。
【００３７】
カーソル位置見出語メモリ１２ｆには、前記見出語一覧画面Ｇ２上で反転カーソルＫの位置する見出語（単語）が記憶される。
【００３８】
カーソル次位置見出語メモリ１２ｇには、前記見出語一覧画面Ｇ２の表示状態で、入力部１６のカーソルキーの操作に応じて反転カーソルＫを移動表示させた場合に、当該見出語一覧上で反転カーソルＫの位置からカーソル指示方向の次に位置する見出語（単語）が記憶される。
【００３９】
ヒストリ登録メモリ１２ｈには、辞書データ１２ｂの検索に伴いユーザ所望の見出語（単語）が選択決定されてその説明情報が表示出力された際に、当該見出語が検索履歴として記憶登録される。
【００４０】
単語帳登録メモリ１２ｉには、辞書データ１２ｂの検索に伴いユーザ所望の見出語（単語）が選択決定されてその説明情報が表示出力された状態で、当該見出語が単語帳へのユーザ登録操作に応じて記憶登録される。
【００４１】
ワークエリア１２ｊには、前記辞書検索制御プログラム１２ａなどの各種の装置制御プログラムに従いＣＰＵ１１に入出力される種々のデータが必要に応じて記憶される。
【００４２】
入力部１６には、ひらがな，カタカナ，漢字，英数字を任意入力するための一連の文字入力キーが配列されると共に、辞書データメモリ１２ｂに記憶されている各種別の辞書を指定して辞書検索を行うための各辞書キー「国語」「漢和」「英和」「和英」、表示画面上でのデータ選択操作やスクロール操作、反転カーソルＫの移動操作などを行うための上下左右方向の各カーソルキー、そして、選択データの決定／確定や選択された見出語に対応した説明情報の読出し表示を指示するための「訳／決定」キーなどが備えられる。
【００４３】
次に、前記構成の携帯機器（電子辞書）１０による辞書検索制御機能について説明する。
【００４４】
図２は、前記携帯機器（電子辞書）１０による辞書検索制御処理の全体処理を示すフローチャートである。
【００４５】
図３は、前記携帯機器（電子辞書）１０の辞書検索制御処理に伴う第１実施形態の見出語スクロール処理１（ＳＡ）を示すフローチャートである。
【００４６】
図４は、前記携帯機器（電子辞書）１０の第１実施形態の見出語スクロール処理１（ＳＡ）に伴う見出語一覧画面Ｇ２での表示動作を示す図である。
【００４７】
入力部１６において今回の辞書検索に使用する種類の「辞書」キーが操作入力されると（ステップＳ１）、当該「辞書」キーに対応する種類の辞書（例えば「英和」）の検索文字入力画面Ｇ１（図４参照）が表示部１７に表示される（ステップＳ２）。
【００４８】
この検索文字入力画面Ｇ１において、入力部１６における文字入力キーの操作に応じて検索すべき文字列が入力され、入力文字データメモリ１２ｃに記憶されて表示されると（ステップＳ３）、この入力文字列を先頭にして含んだ先頭一致で最も近似した見出語が前記「辞書」キーにより指定された辞書データ（１２ｂ）に基づき検索されると共に、この検索された見出語を先頭にアルファベット（五十音）順の各見出語が同辞書データ（１２ｂ）から順次読み出され、見出語一覧画面Ｇ２（図４参照）として表示部１７に表示される。この際、検索表示された見出語一覧画面Ｇ２上にある先頭の見出語の位置に反転カーソルＫが表示され識別されて表示される（ステップＳ４）。
【００４９】
なお、前記見出語一覧画面Ｇ２と共に当該画面Ｇ２内の何れかの見出語が反転カーソルＫにより識別表示されて指示された状態では、このカーソル指示された見出語に対応する意味内容などの説明情報が同辞書データ（１２ｂ）から読み出されてプレビュー画面Ｇ２ｐ（図４参照）として表示される。
【００５０】
ここで、入力部１６における「↑」または「↓」方向のカーソルキーが１回または間欠的に押下操作されると（ステップＳ５）、「↓」キーである場合には現在の見出語一覧画面Ｇ２における反転カーソルＫが最下行の見出語位置に表示されているか、または「↑」キーである場合には同反転カーソルＫが最上行の見出語位置に表示されているかが判断され（ステップＳ６）、何れでもないと判断された場合には（ステップＳ６（Ｎｏ））、カーソル操作の方向に応じて反転カーソルＫによる見出語の識別表示位置が移動される（ステップＳ７）。
【００５１】
一方、「↓」キー操作である際に反転カーソルＫが最下行の見出語位置に表示されていると判断された場合、または「↑」キー操作である際に同反転カーソルＫが最上行の見出語位置に表示されていると判断された場合には（ステップＳ６（Ｙｅｓ））、現在見出語一覧画面Ｇ２にて配列表示されている見出語一覧が当該カーソル指示の方向に一行分スクロールされて更新表示される（ステップＳ８）。
【００５２】
なお、入力部１６における「↑」または「↓」方向のカーソルキーの押下操作が連続押下によるキーリピート状態であると判断された場合には（ステップＳ９（Ｙｅｓ））、図３における第１実施形態の見出語スクロール処理１（ステップＳＡ）、あるいは図５における第２実施形態の見出語スクロール処理２（ステップＳＢ）、あるいは図８における第３実施形態の見出語スクロール処理３（ステップＳＣ）、あるいはその組み合わせによる見出語スクロール処理へ移行される。
【００５３】
一方、前記見出語一覧画面Ｇ２の表示状態にあって、前記「↑」または「↓」方向のカーソルキー操作に応じて反転カーソルＫが移動表示され、または見出語一覧がスクロール表示されてユーザ所望の見出語が反転カーソルＫにより選択指定された状態で「訳／決定」キーが操作されると（ステップＳ１０）、当該選択指定されている見出語に対応した説明情報が辞書データ１２ｂから読み出されて図示しない説明情報検索画面として表示部１７に表示される（ステップＳ１１）。
【００５４】
こうして、所望の見出語が選択指定されてその説明情報検索画面が表示されると、当該検索表示された見出語（単語）は辞書検索の履歴情報としてヒストリ登録メモリ１２ｈに記憶されて登録される（ステップＳ１２）。
【００５５】
そしてさらに、入力部１６におけるユーザ操作に応じて単語帳登録の入力操作が行われた場合には（ステップＳ１３）、前記辞書検索表示されて選択指定されヒストリ登録された見出語（単語）が、さらに単語帳登録メモリ１２ｉに対しても記憶されて登録される（ステップＳ１４）。
【００５６】
一方、この辞書検索制御処理において、入力部１６における「単語帳」（または「ヒストリ」）キーが操作されたと判断された場合には（ステップＳ１５）、前記単語帳登録メモリ１２ｉ（またはヒストリ登録メモリ１２ｈ）に登録されている各見出語（単語）が読み出され単語帳一覧画面Ｇ３（図６（Ａ）参照）として表示される（ステップＳ１６）。
【００５７】
（第１実施形態の見出語スクロール処理１）
次に、例えば図４（Ａ）に示すような、入力文字列「bea」に対応した見出語一覧画面Ｇ２およびその先頭見出語「beach」の位置に反転カーソルＫが表示されたプレビュー画面Ｇ２ｐの表示状態にあって、入力部１６における「↓」カーソルキーの押下操作が連続押下によるキーリピート状態であると判断された場合に（ステップＳ９（Ｙｅｓ））、図３における見出語スクロール処理１（ステップＳＡ）が起動されると、下キーリピート中であると判断される（ステップＡ１（Ｙｅｓ））と共に、反転カーソルＫによる現在の見出語指示行は今回辞書検索された全見出語を含む見出語一覧リストの末尾まで到達してないと判断される（ステップＡ２（Ｎｏ））。
【００５８】
すると、入力文字データメモリ１２ｃに記憶されている入力文字列「bea」の文字数ｊｃ（＝３）が取得されると共に（ステップＡ３）、カーソル位置見出語メモリ１２ｆに記憶されている反転カーソルＫが現在位置する見出語「beach」について、その先頭から前記入力文字数ｊｃ＋１（＝４）文字分の文字列ｓｔｒ（＝beac）が取得され（ステップＡ４）、さらに、カーソル次位置見出語メモリ１２ｇに記憶されている反転カーソルＫの次の移動先に位置する見出語「beach-ball」についても、その先頭から前記入力文字数ｊｃ＋１（＝４）文字分の文字列ｓｔｒ＿ｎ（＝beac）が取得される（ステップＡ５）。
【００５９】
すると、これにより取得されたカーソル位置の見出語における入力文字列＋１文字までの文字列ｓｔｒ（＝beac）とカーソル次位置の見出語における入力文字列＋１文字までの文字列ｓｔｒ＿ｎ（＝beac）とが比較され（ステップＡ６）、次のカーソル移動先である見出語「beach-ball」について、前記入力文字列「bea」の次の文字として入る文字（スペル）が一致するか否（不一致）か、つまり変化しないか否（変化する）かが判断識別される（ステップＡ７）。
【００６０】
ここで、現在のカーソル位置見出語「beach」における入力文字列＋１文字までの文字列ｓｔｒ（＝beac）と次のカーソル位置見出語「beach-ball」における入力文字列＋１文字までの文字列ｓｔｒ＿ｎ（＝beac）とが一致することで、反転カーソルＫの次の移動先見出語「beach-ball」について、現在のカーソル位置見出語「beach」との間でユーザ入力文字列「bea」の次の文字として入る文字（スペル）に変化が無いと判断識別されると（ステップＡ７（Ｙｅｓ））、現在のカーソル位置が見出語一覧下面Ｇ２の最下行に到達していないと判断される状態では（ステップＡ９（Ｎｏ））、反転カーソルＫは一行下の見出語位置（この場合は「beach-ball」）に移動表示され（ステップＡ１１）、また、現在のカーソル位置が見出語一覧下面Ｇ２の最下行に到達していると判断された場合には（ステップＡ９（Ｙｅｓ））、現在見出語一覧画面Ｇ２にて配列表示されている見出語一覧が上方向に一行分スクロールされて更新表示される（ステップＡ１０）と共に、これにより更新表示された最下行の見出語の位置に反転カーソルＫが一行分移動されて表示される（ステップＡ１１）。
【００６１】
このため、図４（Ａ）で示す見出語一覧画面Ｇ２にて示すように、反転カーソルＫの次の移動先見出語について、その手前の現在カーソル位置見出語との間でユーザ入力文字列「bea」の次の文字として入る文字（スペル）「c」に変化が無いと判断識別される状態（ステップＡ１〜Ａ７（Ｙｅｓ））では、反転カーソルＫは順次一行下の見出語位置に高速に連続移動表示されスクロール表示されて行く（ステップＡ９〜Ａ１１）。
【００６２】
この後同様に、入力部１６における「↓」カーソルキーが連続押下され高速スクロール表示されている状態で、例えば図４（Ｂ）に示すように、見出語一覧画面Ｇ２における反転カーソルＫの現在の移動位置が、ユーザ入力文字列「bea」の次の文字（スペル）「c」に変化が無い最後の見出語「[bea-con]〜signal」の位置まで到達すると、この現在のカーソル位置見出語「[bea-con]〜signal」における入力文字列＋１文字までの文字列ｓｔｒ（＝beac）とこの次のカーソル位置見出語「bead」における入力文字列＋１文字までの文字列ｓｔｒ＿ｎ（＝bead）とが不一致となることで、反転カーソルＫの次の移動先見出語「bead」について、現在のカーソル位置見出語「[bea-con]〜signal」との間でユーザ入力文字列「bea」の次の文字として入る文字（スペル）に変化が有ると判断識別され（ステップＡ７（Ｎｏ））、ここまでの高速連続的なカーソル移動スクロール表示動作が一旦停止される（ステップＡ８）。
【００６３】
この後、一旦停止された現在のカーソル位置「[bea-con]〜signal」が見出語一覧下面Ｇ２の最下行に到達していないと判断された場合には（ステップＡ９（Ｎｏ））、反転カーソルＫはユーザ入力文字列「bea」の次の文字（スペル）に変化が有る一行下の見出語位置「bead」に対し移動再開されて表示される（ステップＡ１１）。
【００６４】
そしてまた、反転カーソルＫの次の移動先見出語について、その手前の現在カーソル位置見出語との間でユーザ入力文字列「bea」の次の文字として入る文字（スペル）「d」に変化が無いと判断識別される状態（ステップＡ１〜Ａ７（Ｙｅｓ））では、反転カーソルＫは再び順次一行下の見出語位置に高速に連続移動表示されスクロール表示されて行く（ステップＡ９〜Ａ１１）。
【００６５】
つまり、見出語一覧画面Ｇ２からユーザ所望の見出語を見つけ出そうとして反転カーソルＫを一覧表示された各見出語上にて連続移動させスクロール表示させている状態で、当該連続移動中のカーソルＫがユーザ入力文字列「bea」の次に入る文字（スペル）が変化する見出語一覧部分に差し掛かると、そのカーソル移動動作が一旦停止されスクロール速度が一時的に低下されるので、検索すべき所望の見出語（単語）の全スペルを完全入力しないで検索実行した場合でも、入力文字列に続くスペルが変化した見出語一覧の位置を素早く且つ明確に確認することができ、所望の見出語を見飛ばすことなく高速に見つけ出すことができる。
【００６６】
この後同様に、入力部１６における「↓」カーソルキーが連続押下され高速スクロール表示されている状態で、例えば図４（Ｃ）に示すように、見出語一覧画面Ｇ２における反転カーソルＫの現在の移動位置が、ユーザ入力文字列「bea」の次の文字（スペル）「d」に変化が無い最後の見出語「bead-y」の位置まで到達すると、この現在のカーソル位置見出語「bead-y」における入力文字列＋１文字までの文字列ｓｔｒ（＝bead）とこの次のカーソル位置見出語「bea-gle」における入力文字列＋１文字までの文字列ｓｔｒ＿ｎ（＝beag）とが不一致となることで、反転カーソルＫの次の移動先見出語「bea-gle」について、現在のカーソル位置見出語「bead」との間でユーザ入力文字列「bea」の次の文字として入る文字（スペル）に変化が有ると判断識別され（ステップＡ７（Ｎｏ））、これ以前の高速連続的なカーソル移動スクロール表示動作が再び一旦停止される（ステップＡ８）。
【００６７】
そしてこの後、一旦停止された現在のカーソル位置「bead-y」が見出語一覧下面Ｇ２の最下行に到達していないと判断されることで（ステップＡ９（Ｎｏ））、反転カーソルＫはユーザ入力文字列「bea」の次の文字（スペル）に変化が有る一行下の見出語位置「bea-gle」に対し移動再開されて表示される（ステップＡ１１）と共に、さらに次のカーソル移動先見出語について、その手前の現在カーソル位置見出語との間でユーザ入力文字列「bea」の次の文字として入る文字（スペル）「g」に変化が無いと判断識別される状態となり（ステップＡ１〜Ａ７（Ｙｅｓ））では、反転カーソルＫは再び順次一行下の見出語位置に高速に連続移動表示されスクロール表示されて行く（ステップＡ９〜Ａ１１）。
【００６８】
そして、反転カーソルＫによる現在の見出語指示行が今回辞書検索された全見出語を含む見出語一覧リストの末尾まで到達したと判断された場合か（ステップＡ２（Ｙｅｓ））、または入力部１６における「↓」カーソルキーの押下操作が連続押下によるキーリピート状態で無くなったと判断された場合には（ステップＳ９（Ｎｏ））、前記下キーリピートに伴う一連の見出語スクロール処理が解除される（ステップＡ１２）。
【００６９】
したがって、前記構成の携帯機器（電子辞書）１０による第１実施形態の辞書検索制御機能によれば、辞書検索に伴う検索文字入力画面Ｇ１にて入力された文字列と先頭一致する見出語が辞書データ１２ｂからアルファベット順（または五十音順）に検索され見出語一覧画面Ｇ２として表示された状態で、先頭の見出語位置に表示された反転カーソルＫを「↓」カーソルキーを連続押下（キーリピート）して各見出語上に連続移動スクロール表示させ所望の見出語を見つけ出している際に、当該連続移動中の反転カーソルＫがユーザ入力文字列の次に入る文字（スペル）が変化する見出語一覧部分に差し掛かると、そのカーソル移動動作が一旦停止されスクロール速度が一時的に低下されるので、検索すべき所望の見出語（単語）の全スペルを完全入力しないで検索実行した場合でも、入力文字列に続くスペルが変化した見出語一覧の位置を素早く且つ明確に確認することができ、所望の見出語を見飛ばすことなく高速に見つけ出すことができる。
【００７０】
なお、前記図３にて示した第１実施形態の見出語スクロール処理１（ＳＡ）では、反転カーソルＫの次の移動先見出語について、現在カーソル位置の見出語との比較で、ユーザ入力文字列の次に続く文字（スペル）に変化があると判断識別された場合にカーソル移動の一旦停止、つまり当該入力文字列＋１文字目がスペル変化する直前の見出語位置において反転カーソルＫの移動が一旦停止し速度低下する構成としたが、同スペル変化した見出語位置に反転カーソルＫが移動表示されたときにその移動を一旦停止し速度低下する構成としてもよい。
【００７１】
また、次の第２実施形態の見出語スクロール処理２（ＳＢ）で説明するように、カーソルキーの連続押下（キーリピート）によって見出語一覧画面Ｇ２上で移動表示される反転カーソルＫを、辞書データ１２ｂ上で予め設定されている重要単語の見出語位置に合わせて一旦停止したり、あるいはヒストリ登録されているヒストリ単語の見出語位置に合わせて一旦停止したり、あるいは単語帳登録されている単語帳単語の見出語位置に合わせて一旦停止する構成としてもよい。
【００７２】
（第２実施形態の見出語スクロール処理２）
図５は、前記携帯機器（電子辞書）１０の辞書検索制御処理に伴う第２実施形態の見出語スクロール処理２（ＳＢ）を示すフローチャートである。
【００７３】
図６は、前記携帯機器（電子辞書）１０の第２実施形態の見出語スクロール処理２（ＳＢ）に伴う見出語一覧画面Ｇ２での表示動作（その１）を示す図である。
【００７４】
図７は、前記携帯機器（電子辞書）１０の第２実施形態の見出語スクロール処理２（ＳＢ）に伴う見出語一覧画面Ｇ２での表示動作（その２）を示す図である。
【００７５】
この図５における第２実施形態の見出語スクロール処理２（ＳＢ）において、そのステップＢ１，Ｂ２での処理内容、およびステップＢ５〜Ｂ９での処理内容は、前記図３における第１実施形態の見出語スクロール処理１（ＳＡ）におけるステップＡ１，Ａ２での処理内容、およびステップＡ８〜Ａ１２での処理内容と何れも同一であるため、その詳細な説明は省略する。
【００７６】
そして、この第２実施形態の見出語スクロール処理２（ＳＢ）のステップＢ３，Ｂ４では、反転カーソルＫの次の移動先である見出語について、当該見出語（単語）がその辞書データ１２ｂ中にて予め「＊」マークの付された重要単語であるか否か、またはヒストリ登録メモリ１２ｈに記憶されているヒストリ単語であるか否か、または単語帳登録メモリ１２ｉに記憶されている単語帳単語であるか否かが判断識別され、この何れかの登録単語に一致すると判断識別された場合に（ステップＢ４（Ｙｅｓ））、それまでの高速連続的なカーソル移動スクロール表示動作が一旦停止される（ステップＢ５）。
【００７７】
この第２実施形態の見出語スクロール処理２（ＳＢ）の説明にあたり、この携帯機器（電子辞書）１０は、前記図２における辞書検索制御処理のステップＳ１０〜Ｓ１４での各処理に従って、例えば図６（Ａ）に示すように、単語帳登録メモリ１２ｉ（またはヒストリ登録メモリ１２ｈ）に「beauty」「beast」の単語が登録され、その何れの単語も単語帳一覧画面Ｇ３（またはヒストリ一覧画面）によって一覧表示可能（ステップＳ１５，Ｓ１６）な辞書状態である。
【００７８】
すなわち、例えば図６（Ｂ）〜図７（Ｄ）に示すように、検索文字入力画面Ｇ１にてユーザ入力された検索文字列「bea」に従い検索表示された見出語一覧画面Ｇ２において、「↓」カーソルキーの連続押下（キーリピート）によって反転カーソルＫが一覧見出語上にて連続移動されスクロール表示されている状態（ステップＢ１〜Ｂ３，Ｂ４→Ｂ６〜Ｂ８）で、当該連続移動中のカーソルＫが重要単語である見出語「beautiful（図７（Ｃ）参照）」、単語帳単語やヒストリ単語である各見出語「beast（図６（Ｂ）参照）」「beauty（図７（Ｄ）参照）」のそれぞれの直前の見出語の位置まで到達する毎に、そのカーソル移動動作が一旦停止されスクロール速度が一時的に低下される（ステップＢ３〜Ｂ５）。
【００７９】
したがって、この第２実施形態の見出語スクロール処理２（ＳＢ）を組み込んだ辞書検索制御機能によれば、ユーザ所望の単語（見出語）が重要単語であったり過去に検索した単語や単語帳登録した単語であったりした特定単語である場合に、その全スペルを検索文字として完全入力しなくても、当該所望の見出語を見飛ばすことなく、高速に且つ明確に確認して見つけ出すことができる。
【００８０】
なお、前記図５にて示した第２実施形態の見出語スクロール処理２（ＳＢ）では、反転カーソルＫの次の移動先見出語について、重要単語やヒストリ登録単語や単語帳登録単語などの特定単語であると判断識別された場合にカーソル移動の一旦停止、つまり当該特定単語の直前の見出語位置において反転カーソルＫの移動が一旦停止し速度低下する構成としたが、同特定単語の位置に反転カーソルＫが移動表示されたときにその移動を一旦停止し速度低下する構成としてもよい。
【００８１】
また、次の第３実施形態の見出語スクロール処理３（ＳＣ）で説明するように、カーソルキーの連続押下（キーリピート）によって見出語一覧画面Ｇ２上で移動スクロール表示される反転カーソルＫを、ユーザ入力文字列と一致しているスペル先頭部分が変化する見出語一覧位置に差し掛かった際には、当該下キーリピートに伴うカーソルＫの連続移動処理を解除して停止させる構成としてもよい。
【００８２】
（第３実施形態の見出語スクロール処理３）
図８は、前記携帯機器（電子辞書）１０の辞書検索制御処理に伴う第３実施形態の見出語スクロール処理３（ＳＣ）を示すフローチャートである。
【００８３】
図９は、前記携帯機器（電子辞書）１０の第３実施形態の見出語スクロール処理３（ＳＣ）に伴う見出語一覧画面Ｇ２での表示動作を示す図である。
【００８４】
この図８における第３実施形態の見出語スクロール処理３（ＳＣ）において、そのステップＣ１，Ｃ２での処理内容、およびステップＣ８〜Ｃ１１での処理内容は、前記図３における第１実施形態の見出語スクロール処理１（ＳＡ）におけるステップＡ１，Ａ２での処理内容、およびステップＡ９〜Ａ１２での処理内容と何れも同一であるため、その詳細な説明は省略する。
【００８５】
そして、この第３実施形態の見出語スクロール処理３（ＳＣ）のステップＣ３では、例えば図９に示すように、検索文字入力画面Ｇ１にて入力されたユーザ入力文字列ｓｔｒ＿ｉ（＝bea）が取得され、ステップＣ４では、当該入力文字列「bea」の文字数ｉｃ（＝３）が取得され、ステップＣ５では、反転カーソルＫの次の移動先である見出語について先頭からｉｃ（＝３）文字分の文字列ｓｔｒ＿ｎが取得され、ステップＣ６，Ｃ７では、前記ユーザ入力文字列ｓｔｒ＿ｉ（＝bea）と次のカーソル移動先の見出語におけるユーザ入力文字数ｉｃ（＝３）文字分の文字列ｓｔｒ＿ｎとの一致／不一致が判断識別される。
【００８６】
そして、このステップＣ６，Ｃ７において、ユーザ入力文字列ｓｔｒ＿ｉ（＝bea）と次のカーソル移動先の見出語におけるユーザ入力文字数ｉｃ（＝３）文字分の文字列ｓｔｒ＿ｎとが不一致であると判断識別された場合に（ステップＣ７（Ｎｏ））、それまでの下キーリピートに伴う高速連続的なカーソル移動スクロール表示処理が解除される（ステップＣ１１）。
【００８７】
すなわち、例えば図９（Ａ）（Ｂ）に示すように、検索文字入力画面Ｇ１にてユーザ入力された検索文字列「bea」に従い検索表示された見出語一覧画面Ｇ２において、「↓」カーソルキーの連続押下（キーリピート）によって反転カーソルＫが一覧見出語上にて連続移動されスクロール表示されている状態（ステップＣ１〜Ｃ１０）で、当該連続移動中のカーソルＫがユーザ入力文字列と不一致となる文字列をその先頭に有する見出語「bebop」の直前の見出語「[beaver]B〜State」の位置まで到達した際に、その下キーリピートによるカーソル連続移動動作が解除される（ステップＣ６，Ｃ７→Ｃ１１）。
【００８８】
この際、前記反転カーソルＫの連続移動スクロール表示が解除停止された位置より後（下）に一覧されている各見出語「bebop」…、つまりユーザ入力文字列と先頭一致しなくなった各見出語あるいはその見出語一覧領域については、区切り線強調表示Ｌ（図９（Ｂ）参照）あるいは網掛け表示や表示色変更などによる識別表示を実施して、検索対象外の見出語一覧部分であるとの警告をしてもよい。
【００８９】
そして、このように反転カーソルＫがユーザ入力文字列「bea」と一致する先頭文字列を有する最後尾の見出語「[beaver]B〜State」の位置まで高速連続移動することで、下キーリピートによるカーソル連続移動動作が解除された後は、前記図２における辞書検索制御処理のステップＳ５〜Ｓ９での各処理に従って、再度「↓」カーソルキーを押下操作する毎に反転カーソルＫは一行ずつ次の見出語の位置に移動表示される。
【００９０】
なお、前記ユーザ入力文字列と先頭一致しない各見出語あるいはその見出語一覧領域については元々表示させることなく、ユーザ入力文字列と一致する先頭文字列を有する各見出語の範囲のみ見出語一覧画面Ｇ２として表示し、前記下キーリピート解除（ステップＣ１１）の後に再び「↓」カーソルキーが連続押下された際には、ユーザ入力文字列に基づく検索直後の先頭見出語位置に反転カーソルＫが表示される見出語一覧画面Ｇ２に復帰して、当該反転カーソルＫの連続移動スクロール表示がループ処理される構成としてもよい。
【００９１】
したがって、この第３実施形態の見出語スクロール処理３（ＳＣ）を組み込んだ辞書検索制御機能によれば、「↓」カーソルキーの連続押下（キーリピート）による見出語一覧画面Ｇ２上での反転カーソルＫによる高速連続スクロール表示処理は、当該反転カーソルＫがユーザ入力文字列とその先頭が一致しなくなる見出語一覧位置に差し掛かった際に解除停止されるので、検索すべき所望の見出語（単語）の先頭部分の文字列（スペル）のみを入力し検索実行するだけで、当該所望の見出語を見飛ばすことなく、高速に且つ確実に見つけ出すことができ、しかも無駄になる「↓」カーソルキーの連続押下操作を未然に防止することができる。
【００９２】
なお、前記各実施形態の見出語スクロール処理１，２，３において、下キーリピートに伴う反転カーソルＫの連続移動スクロール表示動作中は、当該カーソルＫの見掛け上の移動間隔をその移動速度は変化させずに複数行単位で移動スクロール表示させる構成としてもよい。
【００９３】
また、前記各実施形態の見出語スクロール処理１，２，３は、上下何れかのカーソルキーの連続押下によってのみ起動し、反転カーソルＫの連続移動制御を実行するものとして構成したが、同カーソルキーの所定短時間間隔内での連打押下を検出し、これをキーリピート同等と判断して前記同様のカーソル連続移動制御を実行する構成としてもよい。
【００９４】
さらに、前記各実施形態の辞書検索制御処理において、見出語一覧画面Ｇ２上で反転カーソルＫにて指示されている見出語（単語）については、その意味内容などの説明情報が辞書データ（１２ｂ）から読み出されたプレビュー画面Ｇ２ｐが並列表示されるが、前記見出語スクロール処理１，２，３に応じた反転カーソルＫの連続移動中は、その個々のカーソル移動表示に伴う各見出語毎にその説明情報プレビュー画面Ｇ２ｐを更新表示させることなく、当該カーソル連続移動が停止されたところの見出語にだけ対応して説明情報プレビュー画面Ｇ２ｐを更新表示させることで、見出語一覧の大きなスペル変化点や特定単語である見出語をより明確に確認できるようにし、所望の見出語を高速に且つより確実に見つけ出すことが可能な構成としてもよい。
【００９５】
また、前記各実施形態における見出語スクロール処理１，２，３を組み合わせた辞書検索制御処理の構成として、ユーザ入力文字列と一致する先頭文字列の次の文字が変化する見出語一覧の位置、および重要単語などの特定の見出語の位置、およびユーザ入力文字列と不一致になる先頭文字列を有する見出語一覧の位置、のそれぞれに合わせて反転カーソルＫの連続移動スクロール表示を一旦停止あるいは停止させ、所望の見出語を高速に、しかもさらに確実に見つけ出すことを可能にしてもよい。
【００９６】
なお、前記各実施形態において記載した携帯機器（電子辞書）１０による各処理の手法、すなわち、図２のフローチャートに示す辞書検索制御処理、図３のフローチャートに示す第１実施形態の見出語スクロール処理１、図５のフローチャートに示す第２実施形態の見出語スクロール処理２、図８のフローチャートに示す第３実施形態の見出語スクロール処理３での各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書データベースを記憶した種々のコンピュータ端末は、この外部記憶媒体１３に記憶されたプログラムを記憶媒体読取部１４によってメモリ１２に読み込み、この読み込んだプログラムによって動作が制御されることにより、前記各実施形態において説明した辞書検索表示機能を実現し、前述した手法による同様の処理を実行することができる。
【００９７】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）２０から前記のプログラムデータを取り込み、前述した辞書検索表示機能を実現することもできる。
【００９８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９９】
【図１】本発明の辞書情報表示制御装置の実施形態に係る携帯機器（電子辞書）１０の電子回路の構成を示すブロック図。
【図２】前記携帯機器（電子辞書）１０による辞書検索制御処理の全体処理を示すフローチャート。
【図３】前記携帯機器（電子辞書）１０の辞書検索制御処理に伴う第１実施形態の見出語スクロール処理１（ＳＡ）を示すフローチャートである。
【図４】前記携帯機器（電子辞書）１０の第１実施形態の見出語スクロール処理１（ＳＡ）に伴う見出語一覧画面Ｇ２での表示動作を示す図。
【図５】前記携帯機器（電子辞書）１０の辞書検索制御処理に伴う第２実施形態の見出語スクロール処理２（ＳＢ）を示すフローチャート。
【図６】前記携帯機器（電子辞書）１０の第２実施形態の見出語スクロール処理２（ＳＢ）に伴う見出語一覧画面Ｇ２での表示動作（その１）を示す図。
【図７】前記携帯機器（電子辞書）１０の第２実施形態の見出語スクロール処理２（ＳＢ）に伴う見出語一覧画面Ｇ２での表示動作（その２）を示す図。
【図８】前記携帯機器（電子辞書）１０の辞書検索制御処理に伴う第３実施形態の見出語スクロール処理３（ＳＣ）を示すフローチャート。
【図９】前記携帯機器（電子辞書）１０の第３実施形態の見出語スクロール処理３（ＳＣ）に伴う見出語一覧画面Ｇ２での表示動作を示す図。
【符号の説明】
【０１００】
１０  …携帯機器（電子辞書）
１１  …ＣＰＵ
１２  …メモリ
１２ａ…辞書検索制御プログラム
１２ｂ…辞書データメモリ
１２ｃ…入力文字データメモリ
１２ｄ…検索見出語先頭位置メモリ
１２ｅ…検索見出語カーソル位置メモリ
１２ｆ…カーソル位置見出語メモリ
１２ｇ…カーソル次位置見出語メモリ
１２ｈ…ヒストリ登録メモリ
１２ｉ…単語帳登録メモリ
１２ｊ…ワークエリア
１３  …外部記憶媒体
１４  …記憶媒体読取部
１５  …通信部
１６  …入力部
１７  …表示部
２０  …Ｗｅｂサーバ
Ｎ  …通信ネットワーク（インターネット）
Ｇ１  …検索文字入力画面
Ｇ２  …見出語一覧画面
Ｇ２ｐ…説明情報プレビュー画面
Ｇ３  …単語帳一覧画面
Ｋ  …反転カーソル
Ｌ  …区切り線強調表示
【図１】
0004730042.tif 000002
【図２】
0004730042.tif 000003
【図３】
0004730042.tif 000004
【図４】
0004730042.tif 000005
【図５】
0004730042.tif 000006
【図６】
0004730042.tif 000007
【図７】
0004730042.tif 000008
【図８】
0004730042.tif 000009
【図９】
0004730042.tif 000010